(57)【要約】【課題】電源オン時あるいはビデオ入力切替時において、出画しようとするビデオ入力のフォーマット（走査周波数等）に応じた機器内部の設定処理に要する時間を短縮して、出画を早くする。【解決手段】１以上の外部入力毎にフォーマット情報をラストメモリし、次回その入力が再選択された時または電源再立ち上げの時（ＳＴ５０、 ＳＴ５４Ｃイエス）には、現入力の検出結果（ＳＴ５４Ａ）よりも予めラストメモリされた情報（ＳＴ５５）を優先して出画制御を行う。このときの出画制御（ＳＴ５５〜ＳＴ５８）は現入力のフォーマット検出（ＳＴ５４Ａ〜ＳＴ５４Ｃ）と並列処理される。【選択図】図５
2007151031.tif 000002
【特許請求の範囲】
【請求項１】
１以上のビデオ入力毎に最新のフォーマット情報を記憶し、
記憶されたフォーマット情報のビデオ入力が現入力として再選択されない時、または記憶されたフォーマット情報のビデオ入力が現入力でないときに電源再立ち上げされた時には、現ビデオ入力のフォーマット情報検出結果を最新フォーマット情報として記憶し、
記憶されたフォーマット情報のビデオ入力が現入力として再選択された時、または記憶されたフォーマット情報のビデオ入力が現入力であるときに電源再立ち上げされた時には、現ビデオ入力のフォーマット情報検出結果よりも予め記憶されたフォーマット情報を優先して出画制御を行なう映像機器の設定方法。
【請求項２】
前記フォーマット情報は少なくともビデオ入力の周波数情報を含み、
記憶されたフォーマット情報のビデオ入力が現入力として再選択されたかどうかの判断、または記憶されたフォーマット情報のビデオ入力が現入力であるときに電源再立ち上げされたかどうかの判断では、記憶されたフォーマット情報のうちの前記周波数情報と、現入力であるビデオ入力のフォーマット情報のうちの前記周波数情報とが一致するか否かの判断を最優先事項として含む請求項１に記載の方法。
【請求項３】
予め記憶されたフォーマット情報を用いる出画制御の処理は、記憶されたフォーマット情報のビデオ入力が現入力として再選択されたかどうかの判断、または記憶されたフォーマット情報のビデオ入力が現入力であるときに電源再立ち上げされたかどうかの判断を行なう処理と並行して行なわれる請求項１または請求項２に記載の方法。
【請求項４】
１以上のビデオ入力部と、
前記１以上のビデオ入力部の１つに与えられたビデオ信号をビデオ入力として選択するセレクタと、
前記ビデオ入力のフォーマット情報を記憶するメモリと、
前記セレクタで選択されるビデオ入力のフォーマットを検出し、その最新のフォーマット情報を前記メモリに記憶させる手段と、
前記メモリに記憶されたフォーマット情報のビデオ入力が現入力として再選択されない時、または前記メモリに記憶されたフォーマット情報のビデオ入力が現入力でないときに電源再立ち上げされた時には、現ビデオ入力のフォーマット情報検出結果を最新フォーマット情報として前記メモリに記憶させる手段と、
前記メモリに記憶されたフォーマット情報のビデオ入力が現入力として再選択された時、または前記メモリに記憶されたフォーマット情報のビデオ入力が現入力であるときに電源再立ち上げされた時には、現ビデオ入力のフォーマット情報検出結果よりも前記メモリに予め記憶されたフォーマット情報を優先して出画制御を行なう手段とを具備した映像機器。
【請求項５】
前記フォーマット情報は少なくともビデオ入力の周波数情報を含み、
前記メモリに記憶されたフォーマット情報のビデオ入力が現入力として再選択されたかどうかの判断、または前記メモリに記憶されたフォーマット情報のビデオ入力が現入力であるときに電源再立ち上げされたかどうかの判断は、前記メモリに記憶されたフォーマット情報のうちの前記周波数情報と、現入力であるビデオ入力のフォーマット情報のうちの前記周波数情報とが一致するか否かの判断を最優先事項として含むように構成された請求項４に記載の映像機器。
【請求項６】
前記メモリに予め記憶されたフォーマット情報を用いる出画制御の処理は、前記メモリに記憶されたフォーマット情報のビデオ入力が現入力として再選択されたかどうかの判断、または前記メモリに記憶されたフォーマット情報のビデオ入力が現入力であるときに電源再立ち上げされたかどうかの判断を行なう処理と並行して行なわれるように構成された請求項４または請求項５に記載の映像機器。
【請求項７】
テレビジョンチューナ部と、
１以上のビデオ入力部と、
前記テレビジョンチューナ部で受信されたビデオ信号、または前記１以上のビデオ入力部の１つに与えられたビデオ信号をビデオ入力として選択するセレクタと、
前記ビデオ入力のフォーマット情報を記憶するメモリと、
前記セレクタで選択されるビデオ入力のフォーマットを検出し、その最新のフォーマット情報を前記メモリに記憶させる手段と、
前記メモリに記憶されたフォーマット情報のビデオ入力が現入力として再選択されない時、または前記メモリに記憶されたフォーマット情報のビデオ入力が現入力でないときに電源再立ち上げされた時には、現ビデオ入力のフォーマット情報検出結果を最新フォーマット情報として前記メモリに記憶させる手段と、
前記メモリに記憶されたフォーマット情報のビデオ入力が現入力として再選択された時、または前記メモリに記憶されたフォーマット情報のビデオ入力が現入力であるときに電源再立ち上げされた時には、現ビデオ入力のフォーマット情報検出結果よりも前記メモリに予め記憶されたフォーマット情報を優先して出画制御を行なう手段と、
前記出画制御された結果得られる前記ビデオ入力に対応した映像を表示する映像表示器とを具備したテレビジョン受像器。
【発明の詳細な説明】
【技術分野】
【０００１】
この発明は、外部ビデオ入力を持つ映像機器（ＴＶ等）における設定処理の改善に関する。特に、電源オン時あるいはビデオ入力切替時において、出画しようとするビデオ入力のフォーマット（走査周波数等）に応じた機器内部の設定処理に要する時間短縮に関する。
【背景技術】
【０００２】
近年、種々なフォーマットのビデオ信号が利用されるようになっている。具体的には、ＮＴＳＣ標準ビデオ信号（走査線４８０本のインターレース＝４８０ｉ：Ｄ１フォーマット）の他に、走査線４８０本のプログレッシブ（４８０ｐ：Ｄ２フォーマット）、走査線１０８０本のインターレース（１０８０ｉ：Ｄ３フォーマット）、走査線７２０本のプログレッシブ（７２０ｐ：Ｄ４フォーマット）、走査線１０８０本のプログレッシブ（１０８０ｐ：Ｄ５フォーマット）等がある（ＮＴＳＣ以外にＰＡＬやコンピュータのアナログＲＧＢ出力も含めると、フォーマットの種類はもっと増える）。
【０００３】
最近のハイビジョンＴＶでは、少なくともＤ３フォーマットまでのアナログビデオ信号入力に対応している（ハイビジョン非対応のＴＶでもＤＶＤビデオのプログレッシブ再生を可能にするためＤ２フォーマットのアナログビデオ信号を受け入れる機種は多い）。
【０００４】
上記種々なフォーマットのビデオ信号は、水平走査周波数、フレームレート、アスペクト比等の属性が信号毎に異なり得るため、それらを受け入れる映像機器（画像表示部を持つＴＶモニタ、画像表示部を持たないビデオプロセサやセットトップボックス等）は、現在選択されたビデオ信号を正常に表示できるよう内部状態を自動的に設定するようになっている。すなわち、どのようなフォーマットであるか事前に分かっていない外部入力映像を視聴する際には、入力ビデオ信号の周波数検出を行ってフォーマット情報を決定し、各フォーマット毎に機器の内部レジスタ設定を行って、入力ビデオ信号フォーマットに適した状態（入力ビデオ信号にマッチした走査周波数等）で出画させてる。多くの場合、このような内部状態の自動設定にはある程度の処理時間がかかり、表示するビデオ信号が選択されてからそのビデオ信号が出画されるようになるまで、視聴者は少なからず待たされる。
【０００５】
複数種類のビデオ信号を切り替えて表示する場合に、以前に選択されたビデオ信号に対応する内部状態を記憶（ラストメモリ）しておけば、後に同じビデオ信号を出画させる処理を早く済ませることができる。ラストメモリを出画処理に利用する映像機器は従来から存在する（特許文献１参照）。
【特許文献１】特開平０８−１８６７７０号公報
【発明の開示】
【発明が解決しようとする課題】
【０００６】
特許文献１には、ビデオ入力とＲＧＢ入力機能の両方を有し、かつ外部制御信号により前記２種類の映像信号（異なるフォーマットの信号）を切り替える機能を持つＴＶモニタが開示されている。このＴＶモニタの映像信号切り替え装置は、外部制御信号により、電源オン時に外部入力信号を優先するかマイコンのラストメモリを優先するかを選択可能に構成されている。
【０００７】
特許文献１では、電源オンされた場合あるいはビデオ入力が切り替えられた場合（例えばＤ２フォーマット対応端子に接続された４８０ｉのアナログビデオ入力が４８０ｐのアナログビデオ入力に切り替えられた場合）に、正常な映像が出画されるまでの画面ミュート時間を短縮するためにラストメモリに記憶された内容を利用するようになっていない。
【０００８】
特許文献１では、例えば電源オン時にマイコンにより（フォーマットが未知の）外部入力信号が優先された場合、仮にその外部入力信号がラストメモリされた信号と結果的に同じフォーマットであったとしも、その外部入力信号のフォーマット検出（走査周波数等の検出）が済むまで画面ミュートが解除されず入力信号の映像が出画されない。また、電源オン時にマイコンによりラストメモリが優先された場合、ラストメモリの内容が実際の入力信号のフォーマットと一致していない場合は正常な出画ができない。この場合は入力信号フォーマットを実際に検出する必要があり、そのフォーマット検出（走査周波数等の検出）が済むまで画面ミュートが解除されず入力信号画像が出画されない。
【０００９】
後者（ラストメモリの内容が実際の入力信号のフォーマットと一致していない）の場合に出画までの時間がかかるのは仕方ないとしても、前者（外部入力信号がラストメモリされた信号と同じフォーマット）の場合でも出画までの時間がかかるとすれば、それには何らかの対策が要求される。（前者の場合でも出画までの時間がかからない可能性があるとすれば、それは外部入力のフォーマットが既知でありフォーマット未知の外部入力は受け付けない設計の機器に限られるものと思われる。）
この発明の課題の１つは、電源オン時あるいはビデオ入力切替時において、出画しようとするビデオ入力のフォーマット（走査周波数等）に応じた機器内部の設定処理に要する時間を短縮すること（結果的に早く出画できるようにすること）である。
【課題を解決するための手段】
【００１０】
この発明の一実施の形態に係る映像機器の設定方法では、１以上の外部入力毎にフォーマット情報をラストメモリし、次回その入力が再選択された時またはその入力が選択された状態での電源再立ち上げの時には入力周波数等の検出結果よりもあらかじめラストメモリされた情報を優先して出画制御を行うようにしている。
【発明の効果】
【００１１】
これにより、ラストメモリの内容にマッチするフォーマットの外部入力が出画対象である場合（実使用状態でこのような場合は多々ある）は、外部入力の周波数検出結果等を待って出画する方法よりも出画時間を短縮できる。
【発明を実施するための最良の形態】
【００１２】
以下この発明の一実施の形態を図面を参照して説明する。図１は、この発明の一実施の形態に係る映像機器（薄型デジタルＴＶ等）の概観を説明する図である。図１において、テレビジョン放送受信装置（複数のアナログ映像入力を持つデジタルＴＶ）１１は、主として、装置本体となるほぼ四角形状に形成された薄型のキャビネット１２と、このキャビネット１２を起立させて支持するスタンド１３とから構成されている。キャビネット１２には、その正面に、例えば平面型液晶表示パネル等でなる映像表示器１４の表示領域が露出されるとともに、一対のスピーカ１５、操作部１６、後述するリモートコントローラから送信される操作情報を受けるための受光部１８等が配置されている。
【００１３】
また、スタンド１３はほぼ薄型の箱状に形成されており、その一方の平面である底面板を、水平に設置された所定の基台（図示せず）上に載置するように構成されている。そして、このスタンド１３は、上記基台上に載置される面と反対側の面である上面板のほぼ中央部から上方に突出する支持部材がキャビネット１２の背面に連結されることにより、キャビネット１２を起立させた状態で支持している。ここで、スタンド１３は、その内部に後述するＨＤＤユニット（および／またはＤＶＤビデオレコーダユニット）２０を収容可能に構成されている。そして、このスタンド１３の上面板には、キャビネット１２よりも正面側にせり出している部分に、ＨＤＤユニット（および／またはＤＶＤビデオレコーダユニット）２０を記録、再生、停止状態等に制御するための、押圧操作可能な複数の操作子が配置されている。
【００１４】
図２は、図１の映像機器（デジタルＴＶ）の内部構成の一例を説明する図である。図２は、テレビジョン放送受信装置１１の信号処理系を概略的に示している。この信号処理系を構成する各種の回路ブロックは、主として、キャビネット１２の内部で背面に近い位置、つまり、映像表示器１４の表示領域１４ａの裏側あたりに配置されている。
【００１５】
アナログテレビジョン放送受信用のアンテナ２７で受信したアナログテレビジョン放送信号は、入力端子２８を介してチューナ部２９に供給される。このチューナ部２９は、入力されたアナログテレビジョン放送信号から所望チャンネルの信号を選局し復調する。このチューナ部２９から出力された信号は、Ａ／Ｄ（analog／digital）変換部３０によりデジタル化された後、セレクタ２６に出力される。このＡ／Ｄ変換された信号をＨＤＤユニット（および／またはＤＶＤビデオレコーダユニット）２０で記録する場合は、セレクタ２６に付随しているエンコーダ（図示せず）において所定のフォーマット（例えばＭＰＥＧ２）による圧縮処理を施した後、記録する。
【００１６】
また、地上波デジタルテレビジョン放送受信用のアンテナ２２Ａで受信したデジタルテレビジョン放送信号は、入力端子２３Ａを介してチューナ部２４Ａに供給される。このチューナ部２４Ａは、入力されたデジタルテレビジョン放送信号から所望チャンネルの信号を選局し復調する。そして、このチューナ部２４Ａから出力された信号は、デコーダ部２５Ａに供給されて、例えばＭＰＥＧ２デコード処理が施された後、セレクタ２６に供給される。
【００１７】
また、放送衛星（Broadcast Satellite）受信用のアンテナ２２Ｂで受信したデジタルテレビジョン放送信号は、入力端子２３Ｂを介してチューナ部２４Ｂに供給される。このチューナ部２４Ｂは、入力されたデジタルテレビジョン放送信号から所望チャンネルのストリーム信号を選局し復調する。そして、このチューナ部２４Ｂから出力された信号は、デコーダ部２５Ｂに供給されてデコード処理が施された後、セレクタ２６に供給される。
【００１８】
さらに、例えば通信衛星（Communication Satellite）放送受信用のアンテナ２２Ｃで受信したデジタルテレビジョン放送信号は、入力端子２３Ｃを介してチューナ部２４Ｃに供給される。このチューナ部２４Ｃは、入力されたデジタルテレビジョン放送信号から所望チャンネルのストリーム信号を選局し復調する。そして、このチューナ部２４Ｃから出力された信号は、デコーダ部２５Ｃに供給されてデコード処理が施された後、セレクタ２６に供給される。
【００１９】
なお、デジタル放送を受信するチューナ部２４Ａ，２４Ｂ，２４Ｃのデジタル出力信号（ビットストリーム）は、直接セレクタ２６に供給されるようにしてもよい（その信号供給経路は図示せず）。この出力信号から映像・音声情報のパケットなどを分離し、制御部３５を介して直接ＨＤＤユニット（および／またはＤＶＤビデオレコーダユニット）２０にてストリーム記録するように構成することも可能である。
【００２０】
セレクタ２６にはさらに、アナログ外部入力端子３１Ａ（コンポジットビデオ端子、Ｙ／Ｃ分離のＳ端子、コンポーネントＤ１端子など）からのアナログビデオ入力をＡ／Ｄ変換部３２Ａを介してデジタル化したビデオ信号と、アナログ外部入力端子３１Ｂ（コンポーネントＤ２端子など）からのアナログビデオ入力をＡ／Ｄ変換部３２Ａを介してデジタル化したビデオ信号と、アナログ外部入力端子３１Ｃ（コンポーネントＤ３端子など）からのアナログビデオ入力をＡ／Ｄ変換部３２Ｃを介してデジタル化したビデオ信号が供給されるように構成されている。
【００２１】
このように、入力端子３１Ａ〜３１Ｃそれぞれに外部から供給されるアナログビデオ入力は、コンポジットビデオ入力やＳ（Ｙ／Ｃ分離）入力だけに限られることはなく、Ｄ端子等を利用したコンポーネント入力にも対応している。外部入力されるアナログビデオ信号のビデオフォーマットとしては、ＮＴＳＣだけに限られず、ＰＡＬでもよい。また、外部入力されるアナログビデオ信号は、デジタルビデオ信号を一旦アナログビデオ信号（４８０インターレース、４８０プログレッシブ、７２０プログレッシブ、１０８０インターレース、１０８０プログレッシブ等）に変換したものであってもよい。
【００２２】
なお、図示しないが、ＩＥＥＥ１３９４、ＤＶＩ、ＨＤＭＩなどのデジタルインターフェイスからのデジタル信号をさらにセレクタ２６へ供給するように構成してもよい。
【００２３】
セレクタ２６は、複数の入力デジタル映像及び音声信号から１つ或いは複数を選択して、信号処理部３４に供給する（ピクチャ・イン・ピクチャ表示やダブル画面表示を行なうときは複数の入力が選択される）。この信号処理部３４は、入力されたデジタル映像信号に所定の信号処理（後述するフロントエンドプロセサ設定処理、バックエンドプロセサ設定処理、スケーラ設定処理等を含む）を施して、映像表示器１４（および／または外部の表示装置）へ映像表示のために供給している。また、映像表示器１４およびスピーカ１５へ供給されるものと同じ内容のビデオ出力（アナログまたはデジタル）およびオーディオ出力（アナログまたはデジタル）を、信号処理部３４から機器外部へ出力できるように構成されている。
【００２４】
映像表示部１４には、例えば、液晶ディスプレイ、プラズマディスプレイ、フィールドエミッションデバイス等を用いたフラットパネルディスプレイを採用することができる。また、信号処理部３４は、入力されたデジタル音声信号に所定の信号処理を施しアナログ化してスピーカ１５に出力することにより、音声再生を行なっている。
【００２５】
ここで、このテレビジョン放送受信装置１１は、上記した各種の受信動作を含む種々の動作を制御部３５によって統括的に制御されている。この制御部３５は、ファームウエアＲＯＭ、ワークＲＡＭ等を内蔵したマイクロプロセッサ（Micro-Processing Unit：ＭＰＵ）で構成することができ、操作部１６からの操作情報またはリモートコントローラ１７から送信された操作情報を受光部１８を介して受けることにより、その操作内容が反映されるように各部をそれぞれ制御している。
【００２６】
制御部３５には、入力端子３１Ａ〜３１Ｃそれぞれの入力信号のフォーマット（および、適宜、チューナ部２９、２４Ａ〜２４Ｃからの信号フォーマット）に応じた最新の情報等を記憶（ラストメモリ）するメモリ部３６が接続されしている。このメモリ部３６は、制御部３５のＭＰＵが実行する制御プログラム（図３〜図５の処理に対応するファームウエア等）を格納したＲＯＭと、該ＭＰＵに作業エリアを提供するためのＲＡＭと、各種の設定情報及び制御情報等が格納される不揮発性メモリとで構成することもできる。制御部３５にはさらに、機器電源ユニット４１が接続されており、電源のオン／オフ状態を制御部３５のＭＰＵが把握できるようになっている。なお、電源ユニット４１のオン／オフやセレクタ２６による信号切替の指示は、操作部１６またはリモートコントローラ１７により行なうことができる。
【００２７】
ここで、制御部３５は、スタンド１３内に収容されたＨＤＤユニット（および／またはＤＶＤビデオレコーダユニット）２０と接続されている。この場合、制御部３５からユニット２０に電源電力及び制御信号の供給を行なうライン３７は、接続部３８を介して制御部３５とユニット２０とを接続している。
【００２８】
また、制御部３５とＨＤＤユニット（および／またはＤＶＤビデオレコーダユニット）２０との間でデジタル映像及び音声信号を授受するライン３９は、ＩＥＥＥ１３９４等の接続部４０を介して制御部３５とユニット２０とを接続している。すなわち、制御部３５とユニット２０との間でのデジタル映像及び音声信号の伝送は、電源及び制御信号とは別個に、ＩＥＥＥ１３９４（あるいはＨＤＭＩもしくはＤＶＩ）によって行なうことができるように構成されている。
【００２９】
テレビジョン放送受信装置１１は、セレクタ２６で選択されたデジタルの映像及び音声信号を、ＨＤＤユニット（および／またはＤＶＤビデオレコーダユニット）２０により記録することができるとともに、ユニット２０に記録されたデジタルの映像及び音声信号を再生し、視聴に供することができる。
【００３０】
この発明に係る映像機器の設定方法は、図２に示すような構成の映像機器において実施できる。この方法の実施により、例えばＤ１端子３１Ａの４８０ｉアナログビデオ信号入力がＤ２端子３１Ｂの４８０ｉアナログビデオ信号入力に切り替えられた場合（入力ビデオのフォーマットは変化なし）、Ｄ１端子３１Ａの４８０ｉアナログビデオ信号入力がＤ２端子３１Ｂの４８０ｐアナログビデオ信号入力に切り替えられた場合（入力ビデオのフォーマットは変化あり）、Ｄ２端子３１Ｂの４８０ｐアナログビデオ信号入力がＤ３端子３１Ｃの４８０ｐアナログビデオ信号入力に切り替えられた場合（入力ビデオのフォーマットは変化なし）、Ｄ２端子３１Ｂの４８０ｐアナログビデオ信号入力がＤ３端子３１Ｃの１０８０ｉアナログビデオ信号入力に切り替えられた場合（入力ビデオのフォーマットは変化あり）など種々な状況が存在し得る場合において、入力が切り替えられても入力ビデオのフォーマット変化がない場合については出画時間を短縮できる。
【００３１】
また、この発明に係る映像機器の設定方法により、入力ビデオのフォーマット変化がない状況下で電源オフ後に電源再オンがあった場合の出画時間も、短縮することができる。
【００３２】
図３は、この発明の一実施の形態に係る映像機器設定処理の概要を説明するフローチャート図である。この処理では、画面ミュート後は予めラストメモリしてあったフォーマット情報にて直接機器内のレジスタ設定を行う。それと並行して行っている周波数検出等の結果がラストメモリしている情報と異なる場合は、割り込み処理で再度レジスタ設定をやり直す。この方法により、現在の入力信号がラストメモリ情報と一致した場合は周波数検出に要していた時間分だけ出画時間を短縮することができる。また、ラストメモリ情報と一致していない場合にも従来と実質同等の出画時間で済ませることができる。
【００３３】
図２に例示されるような構成の映像機器（デジタルＴＶ）において、電源オンまたは入力ビデオの切り替えがあると（ステップＳＴ３０）、所定の映像設定処理が済むまで、映像表示器１４の画面がミュート（ブラックアウト、ブルーバック等）される（ステップＳＴ３２）。そのあとメモリ部３６にラストメモリされているフォーマット情報に従い所定の設定処理が実行される（ステップＳＴ３６）。この設定処理（詳細は後述）には多少の時間を要するが、その処理時間中に、その時点でセレクタ２６により選択されている外部ビデオ入力の走査周波数等の検出が行われ、その検出結果に基づき該ビデオ入力のフォーマットを決定する処理が並列実行される（ステップＳＴ３４）。
【００３４】
ここで、ステップＳＴ３４で決定されたフォーマットとステップＳＴ３６での処理に用いた（ラストメモリされていた）フォーマット情報とが一致（マッチ）しているなら、ステップＳＴ３４の検出結果に依存することなくステップＳＴ３６の設定処理が進行し、その設定処理が済めば画面ミュートが解除されて、その時点でセレクタ２６により選択されている外部ビデオ入力の映像が出画される（ステップＳＴ３８）。この処理では、ステップＳＴ３４でビデオ入力の周波数検出処理がなされるが、その処理結果を待たずにステップＳＴ３６の設定処理が進行しているので、ステップＳＴ３２の画面ミュートからステップＳＴ３８の出画までの時間を短縮できる（ＳＴ３４の処理は、ＳＴ３２→ＳＴ３６の処理と同時進行の処理）。
【００３５】
なお、ステップＳＴ３４で決定されたフォーマットとステップＳＴ３６での処理に用いた（ラストメモリされていた）フォーマット情報とが不一致（アンマッチ）なら、ラストメモリされていたフォーマット情報は使えないことになる。その場合は、ステップＳＴ３４で決定されたフォーマットで（周波数検出結果を優先して）ステップＳＴ３６の処理に割り込みをかける。この場合は、ステップＳＴ３４での処理結果を待ってからステップＳＴ３６の設定処理が行われることになるので、ステップＳＴ３２の画面ミュートからステップＳＴ３８の出画までの時間はある程度かかる。
【００３６】
しかしながら、実使用時にはステップＳＴ３４で決定されたフォーマットとステップＳＴ３６での処理に用いた（ラストメモリされていた）フォーマット情報とがマッチしている場合が多々あり得る。その場合は、ステップＳＴ３４での処理結果を待たずにステップＳＴ３８の出画処理へ素早く到達できるので、実使用状況を全体的にみれば、ステップＳＴ３２の画面ミュートからステップＳＴ３８の出画までの時間を度々短縮できることになる。
【００３７】
ここで、ステップＳＴ３６での設定処理としては、例えば以下のものがある：
＜フロントエンドプロセサ設定＞
ＹＣ分離（輝度信号／クロマ信号の分離：コンポジットビデオ入力の場合）
ＶＢＩ情報処理（垂直ブランキング期間の情報の処理：同期処理、オートアスペクト処理など）
ＮＲ処理（輝度および／またはクロマのノイズ低減処理）
＜バックエンドプロセサ設定（画質設定）＞
輝度Ｙ系…コントラスト、明るさ、画質補正
色差Ｃｂ／Ｃｒ系…色相、色の濃さなど
ガンマ設定
＜スケーラ設定＞
画角設定。
【００３８】
図４は、図１の映像機器における初回電源オン時の処理を説明するフローチャート図である。この処理は、例えば図２のデジタルＴＶを新規購入したユーザが、機器セッティングを終えたあと外部入力端子３１Ａ〜３１Ｃのいずれかに外部ビデオ機器を接続してその再生映像を観賞しようとする場合に、行われる。機器セッティングが済みＴＶの電源がオンされると（ステップＳＴ４０）、最初は出画しようとするビデオ信号のフォーマットが分かるまで画面ミュートされる（ステップＳＴ４２）。この画面ミュートは、画面がブラックアウトまたはブルーバックの状態だけでなく、所定の背景画像上に「しばらくお待ち下さい」といった文字案内が出る状態も含む。
【００３９】
画面ミュート中、現ビデオ入力の走査周波数等の属性が検出される（ステップＳＴ４４）。例えば、図２の入力端子３１ＢにＤＶＤビデオプレーヤの４８０ｉ信号が入力されており、その信号がセレクタ２６で選択されているときは、その周波数（15.75kHz）とともに、フレームレート（60Hz）やアスペクト比等の属性が検出される。
【００４０】
検出結果（フォーマット情報）は入力毎に（図２の例では入力端子３１Ａ〜３１Ｃそれぞれについてセレクタ２６で選択する毎に）メモリ部３６に記憶（ラストメモリ）される（ステップＳＴ４６）。このとき、記憶（ラストメモリ）されたフォーマット情報に基づく設定（図３のステップＳＴ３６相当）がなされる。その後、画面ミュートが解除され（ステップＳＴ４７）、セレクタ２６で選択されている入力端子３１Ｂのビデオ入力の映像が出画される（ステップＳＴ４８）。こうして入力端子毎のフォーマット情報の記憶（ラストメモリ）が済んだ後電源がオフされると（ステップＳＴ４９イエス）、図４の処理は終了する。
【００４１】
図５は、図１の映像機器における次回電源オン時（あるいはビデオ入力切替時）の処理を説明するフローチャート図である。図５の処理は、図４の処理により図２のメモリ部３６に何らかのラストメモリ情報が記憶されている場合に実行される。まず、図４の処理後に次回電源オン（電源再立ち上げ）されると、あるいは電源がオンされた状態で図２のセレクタ２６により入力切り替えが行われると（ステップＳＴ５０）、画面ミュートされる（ステップＳＴ５２）。この画面ミュートは、画面がブラックアウトまたはブルーバックの状態だけでなく、それ以前に何らかの映像を出画させていたときは、最後の画像のスチルを表示する状態も含む。その際、ミュート画面上に「しばらくお待ち下さい」といった文字案内を出してもよい。
【００４２】
画面ミュートに入ると、直ちに現在セレクタ２６で選択されている現ビデオ入力の走査周波数等の属性検出処理に入る（ステップＳＴ５４Ａ）。同時にメモリ部３６に記憶（ラストメモリ）されているフォーマット情報（以前の検出結果）が読み出され、その読み出し結果とステップＳＴ５４Ａでの検出結果とが、周波数検出結果を最優先にして比較される（ステップＳＴ５４Ｂ）。
【００４３】
周波数検出結果を含めラストメモリされたフォーマット情報（走査周波数、フレームレート、アスペクト比、インターレース／プログレッシブの識別、ＮＴＳＣ／ＰＡＬの識別等）が一致すれば（ステップＳＴ５４Ｃイエス）、ステップＳＴ５４Ａ〜ＳＴ５４Ｃの処理はそれ以上続ける必要がなくなり、終了する。この場合は、ラストメモリされていたフォーマット情報が現在セレクタ２６で選択されている現ビデオ入力に対して適用できるものなので、そのままステップＳＴ５５の読み出し結果で機器設定（ステップＳＴ５６）を行なうことができる。
【００４４】
ここで重要なことは、ステップＳＴ５４Ａ〜ＳＴ５４Ｃの処理中に、ステップＳＴ５５の読み出し結果でステップＳＴ５６の機器設定処理に既に入ってしまっていることである。つまり、ステップＳＴ５４Ａ〜ＳＴ５４Ｃの処理とステップＳＴ５５〜ＳＴ５６の処理は並列処理となる。そのため、ラストメモリの内容を使える場合は、電源オンしてから（またはビデオ入力を切り替えてから）画面ミュート解除（ステップＳＴ５７）までの時間を短くできる。
【００４５】
もし、ラストメモリされたフォーマット情報のうち、最優先比較される周波数の不一致があれば（ステップＳＴ５４Ｃノー）、それ以上の項目（フレームレートその他）の比較をすることなく、現在セレクタ２６で選択されている現ビデオ入力のフォーマットまたは属性検出結果（ステップＳＴ５４Ａ）でもってメモリ部３６の記憶内容（ラストメモリ内容）を書き替える（ステップＳＴ５４Ｄ）。これにより、同時進行しているステップＳＴ５５〜ＳＴ５６の処理に割り込みがかかる。すると、それまで並列処理していた内容（旧ラストメモリ内容に基づくステップＳＴ５６での機器設定処理）は破棄され、書き直されたラストメモリの内容で改めて機器設定が行われる（ステップＳＴ５６）。この機器設定が終わると画面ミュートが解除され、現在セレクタ２６で選択されている現ビデオ入力の映像が出画される（ステップＳＴ５８）。この場合は、電源オンしてから（またはビデオ入力を切り替えてから）画面ミュート解除（ステップＳＴ５７）までの時間は短くできない。
【００４６】
以上の出画状態で電源がオフされれば（ステップＳＴ５９イエス）図５の処理は終了する。電源がオンのまま新たな入力切り替えもないときは（ステップＳＴ５９ノー、ステップＳＴ６０ノー）、現ビデオ入力の映像出画が継続される（ステップＳＴ５８）。電源がオンのまま新たな入力切り替えがなされると（ステップＳＴ５９ノー、ステップＳＴ６０イエス）、ステップＳＴ５０に戻る。
【００４７】
例えば図２の入力端子３１Ａにビデオカセットレコーダの４８０ｉ信号が入力されており、入力端子３１Ｂ（Ｄ２端子）にプログレッシブ対応ＤＶＤビデオプレーヤのコンポーネント信号（４８０ｉまたは４８０ｐ）が接続されているとする。また、メモリ部３６にラストメモリされているフォーマット情報がＮＴＳＣ４８０ｉ信号（アスペクト４：３）相当の情報であるとする。この例において、セレクタ２６により入力端子３１Ａから入力端子３１Ｂにビデオ入力が切り替えられたとき、外部のＤＶＤビデオプレーヤがＮＴＳＣ４８０ｉ信号（アスペクト４：３）を出力しているときは、ラストメモリ内容を使えることになる。この場合は、図５のステップＳＴ５４Ａ〜ＳＴ５４Ｃの処理は途中で終了し（ステップＳＴ５４Ｃイエス）。同時並行して実行していたステップＳＴ５５〜ＳＴ５６の処理がそのまま継続進行する。これにより、ビデオ入力が切り替えられてから画面ミュートが解除される（ステップＳＴ５７）までの時間が短くなる。
【００４８】
上記の例において、セレクタ２６により入力端子３１Ａから入力端子３１Ｂにビデオ入力が切り替えられたときに外部のＤＶＤビデオプレーヤがＮＴＳＣ４８０ｐ信号（アスペクト４：３または１６：９）を出力しているときは、ラストメモリ内容を使えないことになる。この場合は、図５のステップＳＴ５４Ａ〜ＳＴ５４Ｄの処理を経てからステップＳＴ５５〜ＳＴ５６の処理がなされるので、ビデオ入力が切り替えられてから画面ミュートが解除される（ステップＳＴ５７）までの時間は長くなる。しかし、一旦４８０ｐ信号のフォーマット情報がメモリ部３６にラストメモリされたあとの電源再投入または同種の４８０ｐ信号が入力された別入力端子への切り替え時では、ステップＳＴ５４Ａ〜ＳＴ５４Ｄの処理が実質的にスキップされ、画面ミュートが解除される（ステップＳＴ５７）までの時間を短縮できる。
【００４９】
上述した図３〜図５の処理を実行するプログラムは、図１のＭＰＵ部１００内のファームウエアＲＯＭ内に格納しておくことができる。また、このプログラムの実行時に用いるワークエリアには、ＭＰＵ部１００内のワークメモリを利用することができる。
【００５０】
＜この発明の一実施の形態による効果＞
入力信号の周波数検出からフォーマット情報決定までにかかっていた時間分だけ出画までの時間を早くすることができる。
【００５１】
＜この発明の一実施の形態に係る方法のまとめ＞
図３〜図５を参照して説明した映像機器の設定方法では、
１以上のビデオ入力毎に最新のフォーマット情報を記憶（ラストメモリ）し（ＳＴ４６またはＳＴ５４Ｄ）、記憶されたフォーマット情報のビデオ入力が現入力として再選択されない時（ＳＴ５０の入力切替とＳＴ５４Ｃノー）、または記憶されたフォーマット情報のビデオ入力が現入力でないときに電源再立ち上げされた時（ＳＴ５０の次回電源オンとＳＴ５４Ｃノー）には、現ビデオ入力のフォーマット情報検出結果（ＳＴ５４Ａの検出結果）を最新フォーマット情報として記憶（ラストメモリ）し（ＳＴ５４Ｄ）する。
【００５２】
一方、記憶されたフォーマット情報のビデオ入力が現入力として再選択された時（ＳＴ５０の入力切替とＳＴ５４Ｃイエス）、または記憶されたフォーマット情報のビデオ入力が現入力であるときに電源再立ち上げされた時（ＳＴ５０の次回電源オンとＳＴ５４Ｃイエス）には、現ビデオ入力のフォーマット情報検出結果（ＳＴ５４Ａの検出結果）よりも予め記憶（ラストメモリ）されたフォーマット情報を優先して出画制御を行なう（ＳＴ５４Ｃでイエスならラストメモリを書き換えず以前のラストメモリ結果で出画設定処理を行なう）。
【００５３】
ここで、前記フォーマット情報は少なくともビデオ入力の周波数情報（４８０ｉの15.75kHz、４８０ｐの31.50kHz等）を含み、記憶されたフォーマット情報のビデオ入力が現入力として再選択されたかどうか（ＳＴ５０の入力切替とＳＴ５４Ｃイエス）の判断、または記憶されたフォーマット情報のビデオ入力が現入力であるときに電源再立ち上げされたかどうか（ＳＴ５０の次回電源オンとＳＴ５４Ｃイエス）の判断では、記憶されたフォーマット情報のうちの前記周波数情報と、現入力であるビデオ入力のフォーマット情報のうちの前記周波数情報とが一致するか否かの判断を最優先事項として含む。
【００５４】
また、予め記憶（ラストメモリ）されたフォーマット情報を用いる出画制御の処理（ＳＴ５５〜ＳＴ５８）は、記憶されたフォーマット情報のビデオ入力が現入力として再選択されたかどうか（ＳＴ５０の入力切替とＳＴ５４Ｃイエス）の判断、または記憶されたフォーマット情報のビデオ入力が現入力であるときに電源再立ち上げされたかどうか（ＳＴ５０の次回電源オンとＳＴ５４Ｃイエス）の判断を行なう処理（ＳＴ５４Ａ〜ＳＴ５４Ｃ）と並行して行なわれる。
【００５５】
＜この発明の一実施の形態に係る機器または装置のまとめ＞
図３〜図５を参照して説明した映像機器の設定方法を用いる図１〜図２の映像機器（この発明の一実施の形態に係るデジタルＴＶ）は、テレビジョンチューナ部（２９等）と、１以上のビデオ入力部（３１Ａ〜３１Ｃ）と、前記テレビジョンチューナ部で受信されたビデオ信号、または前記１以上のビデオ入力部の１つに与えられたビデオ信号をビデオ入力として選択するセレクタ（２６）と、前記ビデオ入力のフォーマット情報を記憶するメモリ（３６）とを備えており、さらに、
前記セレクタで選択されるビデオ入力のフォーマットを検出し、その最新のフォーマット情報を前記メモリに記憶（ラストメモリ）させる手段（３５）と、
前記メモリに記憶されたフォーマット情報のビデオ入力が現入力として再選択されない時、または前記メモリに記憶されたフォーマット情報のビデオ入力が現入力でないときに電源再立ち上げされた時には、現ビデオ入力のフォーマット情報検出結果を最新フォーマット情報として前記メモリに記憶（ラストメモリ）させる手段（３５）と、
前記メモリに記憶されたフォーマット情報のビデオ入力が現入力として再選択された時、または前記メモリに記憶されたフォーマット情報のビデオ入力が現入力であるときに電源再立ち上げされた時には、現ビデオ入力のフォーマット情報検出結果よりも前記メモリに予め記憶（ラストメモリ）されたフォーマット情報を優先して出画制御を行なう手段（３５）と、
前記出画制御された結果（画面ミュート解除）得られる前記ビデオ入力に対応した映像を表示する映像表示器（１４）とを備えている。
【００５６】
なお、この発明の一実施の形態に係る機器または装置がＴＶモニタ以外の製品形態（映像プロセサ、映像スイッチャ、セットトップボックス等）で実子される場合は、その製品仕様に応じて、テレビジョンチューナ部および／または映像表示器が省略されてもよい。
【００５７】
なお、この発明は前述した実施の形態に限定されるものではなく、現在または将来の実施段階では、その時点で利用可能な技術に基づき、その要旨を逸脱しない範囲で種々に変形することが可能である。例えば、図１の実施の形態では平面表示デバイスを備えたＴＶ（あるいはビデオモニタ）を例示しているが、図２〜図５を用いて説明した構成および処理は、表示デバイスを持たない装置または機器において実施することもできる。また、外部ビデオ入力を備えたパーソナルコンピュータにおいても、この発明を実施することができる。あるいは、図２〜図５を用いて説明した構成および処理と同等の機能を持つビデオプロジェクタでもこの発明を実施できる。
【００５８】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００５９】
【図１】この発明の一実施の形態に係る映像機器（複数の外部映像入力を持つデジタルＴＶ）の概観を説明する図。
【図２】図１の映像機器の内部構成の一例を説明する図。
【図３】この発明の一実施の形態に係る映像機器設定処理の概要を説明するフローチャート図。
【図４】図１の映像機器における初回電源オン時の処理を説明するフローチャート図。
【図５】図１の映像機器における次回電源オン時あるいはビデオ入力切替時の処理を説明するフローチャート図。
【符号の説明】
【００６０】
１１…テレビジョン放送受信装置、１２…キャビネット、１３…スタンド、１４…映像表示器、１５…スピーカ、１６…操作部、１７…リモートコントローラ、１８…受光部、１９…支持部材、２０…ＨＤＤユニット、２２…アンテナ、２３…入力端子、２４…チューナ部、２５…デコーダ部、２６…セレクタ、２７…アンテナ、２８…入力端子、２９…チューナ部、３０…Ａ／D変換部、３１…入力端子、３２…Ａ／Ｄ変換部、３３…入力端子、３４…信号処理部、３５…制御部、３６…メモリ部、３７…ライン、３８…接続部、３９…ライン、４０…ＩＥＥＥ１３９４接続部。
【図１】
2007151031.tif 000003
【図２】
2007151031.tif 000004
【図３】
2007151031.tif 000005
【図４】
2007151031.tif 000006
【図５】
2007151031.tif 000007